(57)【要約】以下を特徴とする分散展開構造を備えた自動回転ドア用の回転ウイング自動折りたたみ構造が提供されている。動作モーターによって回転されるねじ軸が、内装体を交差するクロスバーの上側に縦方向に形成され、前記ねじ軸の回転に基づいて移動する移動部材が前記ねじ軸にて係合され、前記移動部材が、前記回転ウイングに形成されたスライダーの移動ロッドと連結され、さらに前記動作モーターの駆動動作を用いて前記ねじ軸を回転させることによって、前記回転ウイングは、前記移動部材と前記スライダーの移動に基づいて自動的に折りたたまれたり展開されたりするので、前記回転ウイングの開口状態と復帰状態を可変的に行うことができるようになっている。【選択図】図４
2009503296.tif 000002
【特許請求の範囲】
【請求項１】
自動回転ドア用の回転ウイング自動折りたたみシステムであって、内装体２０を有する上部プレート２１が、垂直フレーム２及び２’を有する透明壁部材１及び１’の上側に形成された外装体１０の内側に設けられ、複数の分割された回転ウイング３０及び３０’が、前記上部プレート２１の下側に設けられ、前記内装体２０と前記回転ウイング３０及び３０’が、前記外装体１０の上側にて係合される駆動モーター１１の回転力によって同時に回転され、前記回転ウイング３０及び３０’が、上部片側のヒンジ軸３４に対して前記クロスバー４０及び４０’に沿って前記透明壁部材１及びＶに向かって完全に展開され、ガイドレール３５がクロスバー４０及び４０’の上面に設けられ、移動部材４４が前記ガイドレール３５に沿って滑動することを特徴とする分散展開構造を備えた自動回転ドア用の回転ウイング自動折りたたみ構造と、動作モーター４２を有するねじ軸４３が、前記軸受入部３６及び３６’を用いて、前記ガイドレール４４の端部に設けられ、前記ねじ軸が前記クロスバー４０及び４０’の上側と反対側にあり、前記移動部材４４が、前記回転ウイング３０及び３０’の上側に形成された前記スライダー３２の移動ロッド３３と連結され、前記移動部材４４及び前記スライダー３２が、前記動作モーター４２の動作に基づいて移動し、前記回転ウイング３０及び３０’が、自動的に回転され、前記透明壁部材１及びＶに向かって展開され、元の位置に復帰する自動回転ドア用の回転ウイング自動折りたたみシステム。
【発明の詳細な説明】
【技術分野】
【０００１】
本発明は、ビルの入口に設置される自動回転ドアに関するものであり、特に、動作モーターによる自動展開構造と、ねじ軸が、透明壁部材に向かって完全に開いた回転ドアに設けられているので、簡略化された構造により、回転ウイングの自動展開動作と自動復帰動作を達成できるようになっており、それによって自動回転ドア利用の利便性を２倍に向上させること、とを特徴とする分散展開構造を備えた自動回転ドア用の回転ウイング自動折りたたみ構造に関するものである。
【背景技術】
【０００２】
一般に、回転ドアはビルの入口に設置され、その回転ドアを通って通行人やさまざまな物が出入りする。
【０００３】
利用者が前記回転ドアを通り抜けたい場合、前記回転ウイングを押すと前記回転軸が回転され、前記回転ドアを通り抜けることができるようになっている。
【０００４】
最近には、特定の駆動力装置が前記回転軸に設置され、また、検出センサーもその入口部に設置されている。利用者が前記ドアに近づくと、前記検出センサーは利用者を検出し、前記駆動力装置に電力を供給するので、前記回転軸が自動的に回転され、それによって利用者は前記回転ドアを通り抜けることができ、かくして不便を解消できるようになっている。
【０００５】
特に、従来型回転ドアや前記自動回転ドアでは、物又は利用者衣服の一部が前記回転ウイングの端部と前記透明壁の内面の間に挟まれる可能性もあり、それによって安全に関わる事故が起こる恐れもある。長い物が前記回転ドアを通り抜けようとする場合、前記回転ウイングの形成角度のために前記回転ドアを通り抜けることができない。
【０００６】
最近になって、前記回転ウイングが前記回転軸から片側又は両側方向に折りたたまれる構造が提供されている。上記構造を用いれば、安全に関わる事故が起こった場合、対応する回転ウイングをただちに折りたたむことによって特定の安全措置をとることができる。長い物又は物品が前記回転ドアを通り抜ける場合、対応する回転ドアは、対応する回転ウイングから片側に向かって折りたたまれ、それによって安全通路が提供される。
【０００７】
しかしながら、上記の回転ドアや回転ウイングは、前記中心回転軸に対して平行に折りたたまれるようになっている。この構造を用いると、前記回転ウイングが折りたたまれているときでさえも、前記回転ウイングと前記中心回転軸とが依然として前記回転ドアの中心にとどまるので、さらに幅広い所望の通路を得ることができない。
【０００８】
従来型回転ドア又は自動回転ドアは、前記垂直中心回転軸にいくつもの回転ウイングを備えている。さらに幅広い所望の通路を得るためや、安全上の理由から前記回転ドアが折りたたまれなくてはならない場合、前記回転ウイングが前記中心回転軸から折りたたまれる構造で形成されているので、前記中心回転軸や前記回転ウイングは依然として前記回転ドアの内心に位置決めされるようになっており、それによってさらに幅広い通路を得ることが不可能となっている。
【０００９】
護衛を必要とする有名芸能人の場合も、有名芸能人が前記回転ドアを独りで通り抜けなくてはならないので、所望のセキュリティを達成することは不可能である。車両又は家具がディスプレイされたり、同様の大型サイズの物が展示される場所においても、車両又は物は前記中心回転軸がある前記回転ドアを通り抜けることができない。この場合、追加の入口通路又は大型開閉ドアを設置する必要がある。
【００１０】
したがって、本発明と同一の出願人によって発明された特許文献１によれば、等角度で分割された回転ウイングが、前記駆動モーターによって回転される前記上部プレートの下側にヒンジ連結される。前記回転ウイングの上部外側は、前記回転ウイングの内側支持部材の外側端部分にヒンジ連結される。前記回転ウイングの上部内側は、前記上部プレート内側のクロスバー下側で摺動自在に係合されるので、各回転ウイングが、前記前外側端部に対して前記外側壁に向かって展開されるようになっている。
【００１１】
前記中心回転軸が設けられていない状態では、前記回転ドア本来の機能を得ることが可能である。前記回転ドアの通路を開くことが必要な場合、前記回転ウイングは前記壁部材の内向き方向に折りたたまれるので、前記回転ドアの通路が完全に開かれるようになっている。この構造を用いれば、有名芸能人又はＶＩＰは随行者とともに前記回転ドアを通り抜けることができ、それによって所望のセキュリティ状態を得られる。また、車両又は家具などの大型物も前記回転ドアを通り抜けることができ、開閉ドアの追加設置を必要としない。前記回転ドアは多くの利用者が、他物の通行を妨げることなしに同時に通り抜けることができるので、その効率を最大化できる。
【００１２】
しかしながら、上記自動回転ドアには、分割されて透明壁部材に向かって開かれる前記回転ウイングの自動展開構造が備わっていないので、各回転ウイングを開いたり、元の位置に戻したりする操作は手動で行われる必要がある。
【００１３】
自動展開動作をシリンダー又はアクチュエータを用いて行うと、高コストになってしまう。また、過剰な容量が提供されるので、施設のスペース効率がさらに悪化してしまう。
【特許文献１】韓国特許出願第２００５-６９３３４号
【発明の開示】
【発明が解決しようとする課題】
【００１４】
よって、従来技術で遭遇する前記問題点を克服することが本発明の目的である。
【課題を解決するための手段】
【００１５】
また、以下を特徴とする分散展開構造を備えた自動回転ドア用の回転ウイング自動折りたたみ構造を提供することも本発明の別の目的である。動作モーターによって回転されるねじ軸が、内装体を交差するクロスバーの上側に縦方向に形成され、前記ねじ軸の回転に基づいて移動する移動部材が前記ねじ軸にて係合され、前記移動部材が、前記回転ウイングに形成されたスライダーの移動ロッドと連結され、さらに前記動作モーターの駆動動作を用いて前記ねじ軸を回転させることによって、前記回転ウイングが、前記移動部材と前記スライダーの移動に基づいて自動的に折りたたまれたり展開されたりするので、前記回転ウイングの開口状態と復帰状態を可変的に行うことができ、単に前記ねじ軸と前記動作モーターを追加することによって、簡略化された構造を実現することができ、前記自動展開動作を低コストで実行することができるので、非常に経済的な運転を達成することが可能になっている。
【発明を実施するための最良の形態】
【００１６】
図１は、本発明に係る自動回転ドア用の回転駆動構造の全体構造を図解説明する斜視図であり、 図２は、本発明に係る自動回転ドアを図解説明する側断面図であり、
図３は、本発明に係る自動回転ドアを図解説明する平面図である。
【００１７】
自動回転ドア用の回転ウイング自動折りたたみ構造（自動回転ドアのウイング自動折りたたみシステム）であって、内装体２０を有する上部プレート２１が、垂直フレーム２及び２’を有する透明壁部材１及び１’の上側に形成された外装体１０の内側に設けられ、複数の分割された回転ウイング３０及び３０’が、前記上部プレート２１の下側に設けられ、
前記内装体２０と前記回転ウイング３０及び３０’が、前記外装体１０の上側にて係合される駆動モーター１１の回転力によって同時に回転され、 前記回転ウイング３０及び３０’が、上部片側のヒンジ軸３４に対して前記クロスバー４０及び４０’に沿って前記透明壁部材１及びＶに向かって完全に展開され、
下記を特徴とする分散展開構造を備えた自動回転ドア用の回転ウイング自動折りたたみ構造が提供される。ガイドレール３５が、クロスバー４０及び４０’の上面に設けられ、移動部材４４が前記ガイドレール３５に沿って滑動し、動作モーター４２を有するねじ軸４３が、前記軸受入部３６及び３６’を用いて、前記ガイドレール４４の端部に設けられ、前記ねじ軸が前記クロスバー４０及び４０’の上側と反対側にあり、前記移動部材４４が、前記回転ウイング３０及び３０’の上側に形成された前記スライダー３２の移動ロッド３３と連結され、前記移動部材４４及び前記スライダー３２が、前記動作モーター４２の動作に基づいて移動し、前記回転ウイング３０及び３０’が、自動的に回転され、前記透明壁部材１及び１’に向かって展開され、元の位置に復帰する。前記図面中、参照符号５０及び５０’は回転ローラーを示す。
【００１８】
以下、本発明に係る分散展開構造を備えた自動回転ドア用の回転ウイング自動折りたたみ構造の動作を添付図面を参照して説明する。
【００１９】
添付図面に示したように、本発明に係る自動回転ドアでは、基本構造は、従来技術におけるように、垂直フレーム２及び２’がビル内に垂直に設置されるように構成され、円形透明壁部材１及び１’は前記垂直フレーム２及び２’間に設けられる。前記透明壁部材１及び１’を形成しない入口部は前記垂直フレーム２及び２’の両側に設けられる。
【００２０】
ここで、前記透明壁部材１及び１’は、強化ガラス又は高強度合成樹脂から成る。
【００２１】
さまざまな駆動部品や機能部を受け入れる外装体１０は、前記透明壁部材１及び１’と前記垂直フレーム２及び２’の上側に設けられる。駆動モーター１１は、前記外装体１０の内側又は上側に係合するので、複数の回転ウイング３０及び３０’を回転するようになっている。
【００２２】
内装体２０は、前記外装体１０の内側に設けられ、前記外装体１０の内側にて前記回転ウイング３０及び３０’とともに、前記駆動モーター１１の回転駆動力によって回転される。
【００２３】
前記内装体２０の外側部分に設けられた前記回転ローラー５０及び５０’は、前記内装体２０が安定的かつスムーズに回転できるように前記外装体１０の内側にて固定される。
【００２４】
特に、前記内装体２０にてヒンジ連結された前記回転ウイング３０及び３０’は、前記内装体２０から前記透明壁部材１及び１’に回転する。
【００２５】
前記ヒンジ軸３４と前記ドアレール３１は、前記回転ウイング３０及び３０’の上側に設けられる。前記ヒンジ軸３４が、前記内装体２０の内壁にヒンジ連結されるので、前記分割回転ウイング３０及び３０’は前記ヒンジ軸３４に沿って、前記透明壁部材１及びＶに向かって回転できるようになっている。
【００２６】
前記回転ウイング３０及び３０’の前端部に設けられた前記ドアレール３１は、前記回転ウイング３０及び３０’が前記ヒンジ軸３４によって支持された状態で、安定した支持と展開動作を前記回転ウイング３０及び３０’に提供する。
【００２７】
図４に示すように、前記ドアレール３１に挿入された前記スライダー３２には前記移動ロッド３３が設けられ、前記移動ロッド３３は、前記クロスバー４０及び４０’の上側に係合された前記ねじ軸４３の移動部材４４と連結され、内装体２０上を交差する。
【００２８】
前記移動部材４４は、前記クロスバー４０及び４０’の上面に水平に係合された前記ガイドレール３５に挿入され、さらに前記移動部材４４は、前記ねじ軸４３の回転に基づいて前記ねじ軸４３及び前記ガイドレール３５に沿って滑動する。
【００２９】
ここで、前記ねじ軸４３は前記ガイドレール３５の上側に設けられ、前記軸受入部３６及び３６’によって前記ガイドレール３５から上側へ遠ざけられる（両側にベアリング）。前記動作モーター４２は、前記ねじ軸４３を駆動するように前記ねじ軸４３の端部に係合する。
【００３０】
したがって、前記ねじ軸４３の端部に設けられた前記動作モーター４２が動作すると、前記ねじ軸４３は回転を始める。前記ねじ軸４３が回転されると、前記ねじ軸４３とねじ接続された前記移動部材４４は前記ねじ軸４３の軸方向に滑動する。
【００３１】
前記スライダー３２は、前記移動部材４４と前記回転ウイング３０及び３０’とを連結する前記移動ロッド３３によって前記回転ウイング３０及び３０’のドアレール３１に沿って滑る。
【００３２】
図５に示すように、前記前記スライダー３２から回転力を付与されている前記回転ウイング３０及び３０’は回転され、前記外側前端部のヒンジ軸３４に対して前記透明壁部材１及びＶの方向に展開される。
【００３３】
前記動作モーター４２と前記ねじ軸４３とは、前記回転ウイング３０及び３０’の上側に別設される。４対の前記動作モーター４２と前記ねじ軸４３とは、前記クロスバーが前記内装体２０の全域で遠ざけられている状態で、４分割された回転ウイング３０及び３０’に対して、前記クロスバー４０及び４０’対向して設けられる。
【００３４】
したがって、好ましくは、前記動作モーター４２を別々に操作することによって前記回転ウイング３０及び３０’のみを展開させることが可能である。好ましくは、前記動作モーター４２は全てが連携して機能するように配設されるので、前記回転ウイング３０及び３０’がともに回転かつ展開されてから元の位置に復帰され、それによってより高い動作効率を達成できるようになっている。
【産業上の利用可能性】
【００３５】
上記のように、前記分散展開構造を備えた自動回転ドアの回転ウイング自動折りたたみ構造によれば、前記ねじ軸は前記動作モーターによって回転され、前記回転ウイングは、前記移動部材とスライダーの動作に基づいて自動的に展開かつ復帰されるので、前記回転ウイングの開かれた状態又は復帰状態がさらに簡便に調節できるようになっている。従来型クロスバーを用いて前記ねじ軸と動作モーターのみが設けられるので、前記回転ウイングの自動展開構造がさらに簡素化された形態で低コストにて達成することができ、経済的なシステムを実現できるようになっている。
【００３６】
本発明は、本発明の真の趣旨または基本的な特徴から逸脱することなくいくつかの形態で実施することができるので、別段の指定がない限り、上記の実施例が前述説明のいかなる詳細によっても限定されるものではなく、むしろ添付の特許請求の範囲において定義されるその真の趣旨及び範囲から逸脱することなく広義に解釈されるべきであり、したがって本特許請求の範囲内またはかかる範囲内と同等のすべての変更形態及び修正形態が添付の特許請求の範囲に包含されるべきであることが理解されるであろう。
【図面の簡単な説明】
【００３７】
【図１】図１は、本発明に係る自動回転ドア用の回転駆動構造の全体構造を図解説明する斜視図である。
【図２】図２は、本発明に係る自動回転ドアを図解説明する側断面図である。図３は、本発明に係る自動回転ドアを図解説明する平面図である。
【図３】図３は、本発明に係る自動回転ドアを図解説明する平面図である。
【図４】図４は、本発明に係る自動回転ドアの主要部を図解説明する拡大斜視図である。
【図５】図５は、本発明に係る自動回転ドアの回転ウイングの開閉動作を図解説明する平面図である。
【図１】
2009503296.tif 000003
【図２】
2009503296.tif 000004
【図３】
2009503296.tif 000005
【図４】
2009503296.tif 000006
【図５】
2009503296.tif 000007
【国際調査報告】
2009503296.tif 000008
2009503296.tif 000009